(57)【要約】【課題】本発明は片方向暗号ドアロックを開示した。【解決手段】ウォールを含み、前記ウォールの中にはドアの框が前後に貫通して設置され、前記ドアの框の中にはドア板が揺動可能に設置され、前記ドア板の左右両側には回転装置が設置され、前記ドア板の中にはノブ装置とドアロック装置とが設置され、前記ノブ装置は前記ドア板の中に前に開口するように設置されたノブ溝を含み、前記ノブ溝の中にはスライダがスライドできるように設置され、前記スライダの上端面の中には下ラックが固定的に設置され、前記ノブ溝の上側の内壁の中には歯車チャンバが連通するように設置され、前記歯車チャンバの左右内壁の間には平歯車が回転できるように連結され、前記平歯車の下端が前記下ラックに噛合しており、前記平歯車の上端が前記ドアロック装置に噛み合うように連結され、前記スライダの中には連結軸が回転できるように連結される。【選択図】図１
2020180537.tif 000002
【特許請求の範囲】
【請求項１】
正面視で、片方向暗号ドアロックであって、ウォールを含み、前記ウォールの中にはドアの框が前後に貫通して設置され、前記ドアの框の中にはドア板が揺動可能に設置され、前記ドア板の左右両側には回転装置が設置され、前記ドア板の中にはノブ装置とドアロック装置とが設置され、前記ノブ装置は前記ドア板の中に前に開口するように設置されたノブ溝を含み、前記ノブ溝の中にはスライダがスライドできるように設置され、前記スライダの上端面の中には下ラックが固定的に設置され、前記ノブ溝の上側の内壁の中には歯車チャンバが連通するように設置され、前記歯車チャンバの左右内壁の間には平歯車が回転できるように連結され、前記平歯車の下端が前記下ラックに噛合しており、前記平歯車の上端が前記ドアロック装置に噛み合うように連結され、前記スライダの中には連結軸が回転できるように連結され、前記連結軸の前端には外ノブが固定的に連結され、前記ノブ溝の後側の内壁の中には空チャンバが設置され、前記連結軸の後端が前記空チャンバの中に伸びており且つ外回転輪と固定的に連結され、前記外回転輪の上端には外始動ブロックが固定的に連結され、前記空チャンバの前側の内壁には外固定輪が固定的に連結され、前記外固定輪の中には位置制限溝が前後に貫通して設置され、前記位置制限溝の左右の内壁には外導電ブロックが対称的に固定的に連結され、前記ドア板の中には後ろに開口した内位置制限溝が設置され、前記内位置制限溝の前側の内壁には内ノブが回転できるように連結され、前記内位置制限溝の中には前記内ノブに固定的に連結された内回転輪が回転できるように設置され、前記内回転輪の左端には内始動ブロックが固定的に連結され、前記内位置制限溝の左右両側の内壁の中には内導電ブロックが対称的に固定的に設置され、前記ノブ装置によって前記ドア板を引き動かして回転させることができることを特徴とする片方向暗号ドアロック。
【請求項２】
前記ドアロック装置は前記歯車チャンバの上側の内壁の中に連通するように設置されたドアロックチャンバを含み、前記ドアロックチャンバが前に開口しており、前記ドアロックチャンバの中にはドアロックがスライドできるように設置され、前記ドアロックの下端面の中には上ラックが固定的に設置され、前記上ラックと前記平歯車とが噛合しており、前記ドアロックの中には後ろに開口した三つのロックシリンダー溝が設置され、前記ロックシリンダー溝の中にはロックシリンダーがスライドできるように設置され、前記ロックシリンダーの中にはネジ山穴が左右に貫通して設置され、前記ドアロックチャンバの後側の内壁の中には三つのロック穴が連通して設置され、三つの前記ロック穴が同じ垂直面に位置していなく、三つの前記ロックシリンダーが其々に三つの前記ロック穴の中に伸びることができ、前記ドアロックチャンバの右側の内壁の中には前に開口した連通溝が連通して設置され、前記連通溝の中には三つの回転連結ブロックが回転できるように設置され、前記回転連結ブロックの円周面には十個の数字ブロックが環状に配置されるように固定的に連結され、各前記数字ブロックの外表面には数字が刻まれており、前記回転連結ブロックの左端にはネジボルトが固定的に連結され、前記ネジボルトの左端が前記ネジ山穴にネジ山によって連結され、前記ドアロック装置によって前記外ノブが伸び出すのを制御できることを特徴とする請求項１に記載の片方向暗号ドアロック。
【請求項３】
前記回転装置は前記ドアの框の上下両側の内壁の間に左右に対称的に且つ回転できるように連結された垂直軸を含み、前記垂直軸には回転ブロックが固定的に連結され、両側の前記回転ブロックの中には前後に貫通し且つ相対に開口した連結溝が設置され、前記ドア板が前記連結溝の間に連結され、前記回転ブロックのうち対称中心に近接した一端面の中には固定仕切板が固定的に設置され、左側の前記固定仕切板が前記ドア板の前端面に当接しており、右側の前記固定仕切板が前記ドア板の後端面に当接しており、前記回転ブロックの中には対称中心に向かって開口したバネチャンバが設置され、前記バネチャンバの中にはスライド仕切板がスライドできるように設置され、前記バネチャンバのうち対称中心から離れた一側の内壁の中には電磁石が固定的に設置され、両側の前記スライド仕切板と両側の前記電磁石との間には其々に圧縮バネが連結され、左側の前記スライド仕切板が前記ドア板の後端面に当接しており、右側の前記スライド仕切板が前記ドア板の前端面に当接しており、前記回転装置が前記ドア板の片方向の回転を制御できることを特徴とする請求項２に記載の片方向暗号ドアロック。
【請求項４】
前記電磁石が前記内導電ブロックと前記外導電ブロックとに電気的に連結され、前記内導電ブロックと前記外導電ブロックとによって前記電磁石の通電状態を制御できることを特徴とする請求項３に記載の片方向暗号ドアロック。
【発明の詳細な説明】
【技術分野】
【０００１】
本発明はロックの分野を取り上げて、具体的には片方向暗号ドアロックである。
【背景技術】
【０００２】
ドアは部屋と外部とを隔離させ、財産の安全及び個人プライバシーを保護でき、ところが現在のドアは部屋の中に又は部屋の外に開けるしかできなく、部屋の内部と外の状況を知らずに突然ドアを開けると、ほたの物に更に人にぶつかる恐れがあり、そのためドアの開ける方向を制御できる片方向暗号ドアロックを設計するのは実に必要があり、本装置は個人の需要によりノブの回転方向を決め、それによりドアの開ける方向を制御し、同時にほかの人にぶつかるのを回避でき、それに暗号ドアロックによってノブが伸び出すのを制御でき、一般的なドアロックより安全で、一般的な防盗ロックより早く便利である。
【先行技術文献】
【特許文献】
【０００３】
【特許文献１】中国特許出願公開第１０９４４１２３２号明細書
【発明の概要】
【発明が解決しようとする課題】
【０００４】
本発明が解決する技術問題は片方向暗号ドアロックを提供し、それは上記現在技術の問題を解決できる。
【課題を解決するための手段】
【０００５】
本発明の片方向暗号ドアロックは、ウォールを含み、前記ウォールの中にはドアの框が前後に貫通して設置され、前記ドアの框の中にはドア板が揺動可能に設置され、前記ドア板の左右両側には回転装置が設置され、前記ドア板の中にはノブ装置とドアロック装置とが設置され、前記ノブ装置は前記ドア板の中に前に開口するように設置されたノブ溝を含み、前記ノブ溝の中にはスライダがスライドできるように設置され、前記スライダの上端面の中には下ラックが固定的に設置され、前記ノブ溝の上側の内壁の中には歯車チャンバが連通するように設置され、前記歯車チャンバの左右内壁の間には平歯車が回転できるように連結され、前記平歯車の下端が前記下ラックに噛合しており、前記平歯車の上端が前記ドアロック装置に噛み合うように連結され、前記スライダの中には連結軸が回転できるように連結され、前記連結軸の前端には外ノブが固定的に連結され、前記ノブ溝の後側の内壁の中には空チャンバが設置され、前記連結軸の後端が前記空チャンバの中に伸びており且つ外回転輪と固定的に連結され、前記外回転輪の上端には外始動ブロックが固定的に連結され、前記空チャンバの前側の内壁には外固定輪が固定的に連結され、前記外固定輪の中には位置制限溝が前後に貫通して設置され、前記位置制限溝の左右の内壁には外導電ブロックが対称的に固定的に連結され、前記ドア板の中には後ろに開口した内位置制限溝が設置され、前記内位置制限溝の前側の内壁には内ノブが回転できるように連結され、前記内位置制限溝の中には前記内ノブに固定的に連結された内回転輪が回転できるように設置され、前記内回転輪の左端には内始動ブロックが固定的に連結され、前記内位置制限溝の左右両側の内壁の中には内導電ブロックが対称的に固定的に設置され、前記ノブ装置によって前記ドア板を引き動かして回転させることができる。
【０００６】
更なる技術方案、前記ドアロック装置は前記歯車チャンバの上側の内壁の中に連通するように設置されたドアロックチャンバを含み、前記ドアロックチャンバが前に開口しており、前記ドアロックチャンバの中にはドアロックがスライドできるように設置され、前記ドアロックの下端面の中には上ラックが固定的に設置され、前記上ラックと前記平歯車とが噛合しており、前記ドアロックの中には後ろに開口した三つのロックシリンダー溝が設置され、前記ロックシリンダー溝の中にはロックシリンダーがスライドできるように設置され、前記ロックシリンダーの中にはネジ山穴が左右に貫通して設置され、前記ドアロックチャンバの後側の内壁の中には三つのロック穴が連通して設置され、三つの前記ロック穴が同じ垂直面に位置していなく、三つの前記ロックシリンダーが其々に三つの前記ロック穴の中に伸びることができ、前記ドアロックチャンバの右側の内壁の中には前に開口した連通溝が連通して設置され、前記連通溝の中には三つの回転連結ブロックが回転できるように設置され、前記回転連結ブロックの円周面には十個の数字ブロックが環状に配置されるように固定的に連結され、各前記数字ブロックの外表面には数字が刻まれており、前記回転連結ブロックの左端にはネジボルトが固定的に連結され、前記ネジボルトの左端が前記ネジ山穴にネジ山によって連結され、前記ドアロック装置によって前記外ノブが伸び出すのを制御できる。
【０００７】
更なる技術方案、前記回転装置は前記ドアの框の上下両側の内壁の間に左右に対称的に且つ回転できるように連結された垂直軸を含み、前記垂直軸には回転ブロックが固定的に連結され、両側の前記回転ブロックの中には前後に貫通し且つ相対に開口した連結溝が設置され、前記ドア板が前記連結溝の間に連結され、前記回転ブロックのうち対称中心に近接した一端面の中には固定仕切板が固定的に設置され、左側の前記固定仕切板が前記ドア板の前端面に当接しており、右側の前記固定仕切板が前記ドア板の後端面に当接しており、前記回転ブロックの中には対称中心に向かって開口したバネチャンバが設置され、前記バネチャンバの中にはスライド仕切板がスライドできるように設置され、前記バネチャンバのうち対称中心から離れた一側の内壁の中には電磁石が固定的に設置され、両側の前記スライド仕切板と両側の前記電磁石との間には其々に圧縮バネが連結され、左側の前記スライド仕切板が前記ドア板の後端面に当接しており、右側の前記スライド仕切板が前記ドア板の前端面に当接しており、前記回転装置が前記ドア板の片方向の回転を制御できる。
【０００８】
更なる技術方案、前記電磁石が前記内導電ブロックと前記外導電ブロックとに電気的に連結され、前記内導電ブロックと前記外導電ブロックとによって前記電磁石の通電状態を制御できる。
【発明の効果】
【０００９】
有益な効果は：本発明は構造が簡単で、操作が便利で、個人の需要によってノブの回転方向を変えられ、それによりドアの開ける方向を制御でき、同時に他の人にぶつかるのを回避でき、それに暗号ドアロックによってノブが伸び出すのを制御し、普通のドアロックより安全で、普通の防盗ロックより早く便利である。
【図面の簡単な説明】
【００１０】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の片方向暗号ドアロックの内部構造模式図
【図２】図２は図１の「ＡーＡ」の方向の構造模式図
【図３】図３は図１の「ＢーＢ」の方向の構造模式図
【図４】図４は図２の「Ｃ」の拡大構造模式図
【図５】図５は図２の「Ｄ」の拡大構造模式図
【図６】図６は図４の「ＥーＥ」の方向の構造模式図
【図７】図７は図４の「ＦーＦ」の方向の構造模式図
【図８】図８は図７の「ＧーＧ」の方向の構造模式図
【発明を実施するための形態】
【００１２】
図１〜８を参考して、本発明の片方向暗号ドアロックは、ウォール１１を含み、前記ウォール１１の中にはドアの框１２が前後に貫通して設置され、前記ドアの框１２の中にはドア板１３が揺動可能に設置され、前記ドア板１３の左右両側には回転装置１０２が設置され、前記ドア板１３の中にはノブ装置１００とドアロック装置１０１とが設置され、前記ノブ装置１００は前記ドア板１３の中に前に開口するように設置されたノブ溝２２を含み、前記ノブ溝２２の中にはスライダ３３がスライドできるように設置され、前記スライダ３３の上端面の中には下ラック３４が固定的に設置され、前記ノブ溝２２の上側の内壁の中には歯車チャンバ４０が連通するように設置され、前記歯車チャンバ４０の左右内壁の間には平歯車４１が回転できるように連結され、前記平歯車４１の下端が前記下ラック３４に噛合しており、前記平歯車４１の上端が前記ドアロック装置１０１に噛み合うように連結され、前記スライダ３３の中には連結軸３２が回転できるように連結され、前記連結軸３２の前端には外ノブ２３が固定的に連結され、前記ノブ溝２２の後側の内壁の中には空チャンバ３７が設置され、前記連結軸３２の後端が前記空チャンバ３７の中に伸びており且つ外回転輪３８と固定的に連結され、前記外回転輪３８の上端には外始動ブロック３９が固定的に連結され、前記空チャンバ３７の前側の内壁には外固定輪３５が固定的に連結され、前記外固定輪３５の中には位置制限溝３６が前後に貫通して設置され、前記位置制限溝３６の左右の内壁には外導電ブロック４５が対称的に固定的に連結され、前記ドア板１３の中には後ろに開口した内位置制限溝４９が設置され、前記内位置制限溝４９の前側の内壁には内ノブ４６が回転できるように連結され、前記内位置制限溝４９の中には前記内ノブ４６に固定的に連結された内回転輪４８が回転できるように設置され、前記内回転輪４８の左端には内始動ブロック４７が固定的に連結され、前記内位置制限溝４９の左右両側の内壁の中には内導電ブロック５０が対称的に固定的に設置され、前記ノブ装置１００によって前記ドア板１３を引き動かして回転させることができる。
【００１３】
有益なように、前記ドアロック装置１０１は前記歯車チャンバ４０の上側の内壁の中に連通するように設置されたドアロックチャンバ４４を含み、前記ドアロックチャンバ４４が前に開口しており、前記ドアロックチャンバ４４の中にはドアロック２６がスライドできるように設置され、前記ドアロック２６の下端面の中には上ラック４２が固定的に設置され、前記上ラック４２と前記平歯車４１とが噛合しており、前記ドアロック２６の中には後ろに開口した三つのロックシリンダー溝２８が設置され、前記ロックシリンダー溝２８の中にはロックシリンダー３０がスライドできるように設置され、前記ロックシリンダー３０の中にはネジ山穴２９が左右に貫通して設置され、前記ドアロックチャンバ４４の後側の内壁の中には三つのロック穴４３が連通して設置され、三つの前記ロック穴４３が同じ垂直面に位置していなく、三つの前記ロックシリンダー３０が其々に三つの前記ロック穴４３の中に伸びることができ、前記ドアロックチャンバ４４の右側の内壁の中には前に開口した連通溝２４が連通して設置され、前記連通溝２４の中には三つの回転連結ブロック３１が回転できるように設置され、前記回転連結ブロック３１の円周面には十個の数字ブロック２５が環状に配置されるように固定的に連結され、各前記数字ブロック２５の外表面には数字が刻まれており、前記回転連結ブロック３１の左端にはネジボルト２７が固定的に連結され、前記ネジボルト２７の左端が前記ネジ山穴２９にネジ山によって連結され、前記ドアロック装置１０１によって前記外ノブ２３が伸び出すのを制御できる。
【００１４】
有益なように、前記回転装置１０２は前記ドアの框１２の上下両側の内壁の間に左右に対称的に且つ回転できるように連結された垂直軸１４を含み、前記垂直軸１４には回転ブロック１５が固定的に連結され、両側の前記回転ブロック１５の中には前後に貫通し且つ相対に開口した連結溝１６が設置され、前記ドア板１３が前記連結溝１６の間に連結され、前記回転ブロック１５のうち対称中心に近接した一端面の中には固定仕切板１７が固定的に設置され、左側の前記固定仕切板１７が前記ドア板１３の前端面に当接しており、右側の前記固定仕切板１７が前記ドア板１３の後端面に当接しており、前記回転ブロック１５の中には対称中心に向かって開口したバネチャンバ２０が設置され、前記バネチャンバ２０の中にはスライド仕切板２１がスライドできるように設置され、前記バネチャンバ２０のうち対称中心から離れた一側の内壁の中には電磁石１８が固定的に設置され、両側の前記スライド仕切板２１と両側の前記電磁石１８との間には其々に圧縮バネ１９が連結され、左側の前記スライド仕切板２１が前記ドア板１３の後端面に当接しており、右側の前記スライド仕切板２１が前記ドア板１３の前端面に当接しており、前記回転装置１０２が前記ドア板１３の片方向の回転を制御できる。
【００１５】
有益なように、前記電磁石１８が前記内導電ブロック５０と前記外導電ブロック４５とに電気的に連結され、前記内導電ブロック５０と前記外導電ブロック４５とによって前記電磁石１８の通電状態を制御できる。
【００１６】
使用する時、人が部屋の外側にいる時、回転連結ブロック３１を回転させ、それにより数字ブロック２５を回転連動させ且つ数字ブロック２５の数字を順次に前向きに示し、同時に回転連結ブロック３１がネジボルト２７を回転連動させ、それによりロックシリンダー３０をスライド連動させ、ロックシリンダー３０が相応のロック穴４３に正対するようになると、数字ブロック２５における前向きに示された数字はロックシリンダー溝２８の中におけるロックシリンダー３０の位置に対応し、三つのロックシリンダー３０が全て三つのロック穴４３に正対する時、ドアロック２６を押し、それによりロックシリンダー３０をスライド連動させてロック穴４３の中に入らせ、この時ドアロックを引っ掛け、同時に上ラック４２が平歯車４１を回転連動させ、それにより下ラック３４をスライド連動させ、それによりスライダ３３をスライド連動させ、それにより連結軸３２によって外ノブ２３を連動させてノブ溝２２から滑り出させ、この時外回転輪３９が位置制限溝３６の中に滑り込み、この時外ノブ２３を握り、個人習慣によって時計回り又は反時計回りに外ノブを回転させ、それにより外始動ブロック３９と外導電ブロック４５とが接触するまで外回転輪３８と外始動ブロック３９とを回転連動させ、この時外導電ブロック４５が右側の電磁石１８を通電させ、この時右側の電磁石１８が右側のスライド仕切板２１を吸引してドア板１３から離脱させ、この時外ノブ２３を引き、ドア板１３が左側の垂直軸１４の周りを回って片方向に部屋の外に回転し、ドアが開いた後外ノブ２３をノブ溝２２の中に押し戻し、それによりドアロック２６を外にスライド連動させ、右側の電磁石１８の電気が切れ、ドア板を反方向に回転させ、それにより右側のスライド仕切板２１を押してスライドさせ、また圧縮バネ１９の弾力によって右側のスライド仕切板２１を改めてドア板１３に当接させ、人が部屋の中にいる時、内ノブ２６を握って回転させ、それにより内回転輪４８と内始動ブロック４７とを回転連動させ、内始動ブロック４７と内導電ブロック５０とが接触した時左側の電磁石１８が通電し、この時ドア板１３が右側の垂直軸１４の周りを回って片方向に部屋の中に回転し、人にぶつかるのを回避できる。
【００１７】
有益な効果は：本発明は構造が簡単で、操作が便利で、個人の需要によってノブの回転方向を変えられ、それによりドアの開ける方向を制御でき、同時に他の人にぶつかるのを回避でき、それに暗号ドアロックによってノブが伸び出すのを制御し、普通のドアロックより安全で、普通の防盗ロックより早く便利である。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020180537.tif 000003
【図２】
2020180537.tif 000004
【図３】
2020180537.tif 000005
【図４】
2020180537.tif 000006
【図５】
2020180537.tif 000007
【図６】
2020180537.tif 000008
【図７】
2020180537.tif 000009
【図８】
2020180537.tif 000010
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
正面視で、片方向暗号ドアロックであって、ウォールを含み、前記ウォールの中にはドアの框が前後に貫通して設置され、前記ドアの框の中にはドア板が揺動可能に設置され、前記ドア板の左右両側には回転装置が設置され、前記ドア板の中にはノブ装置とドアロック装置とが設置され、前記ノブ装置は前記ドア板の中に前に開口するように設置されたノブ溝を含み、前記ノブ溝の中にはスライダがスライドできるように設置され、前記スライダの上端面の中には下ラックが固定的に設置され、前記ノブ溝の上側の内壁の中には歯車チャンバが連通するように設置され、前記歯車チャンバの左右内壁の間には平歯車が回転できるように連結され、前記平歯車の下端が前記下ラックに噛合しており、前記平歯車の上端が前記ドアロック装置に噛み合うように連結され、前記スライダの中には連結軸が回転できるように連結され、前記連結軸の前端には外ノブが固定的に連結され、前記ノブ溝の後側の内壁の中には空チャンバが設置され、前記連結軸の後端が前記空チャンバの中に伸びており且つ外回転輪と固定的に連結され、前記外回転輪の上端には外始動ブロックが固定的に連結され、前記空チャンバの前側の内壁には外固定輪が固定的に連結され、前記外固定輪の中には位置制限溝が前後に貫通して設置され、前記位置制限溝の左右の内壁には外導電ブロックが対称的に固定的に連結され、前記ドア板の中には後ろに開口した内位置制限溝が設置され、前記内位置制限溝の前側の内壁には内ノブが回転できるように連結され、前記内位置制限溝の中には前記内ノブに固定的に連結された内回転輪が回転できるように設置され、前記内回転輪の左端には内始動ブロックが固定的に連結され、前記内位置制限溝の左右両側の内壁の中には内導電ブロックが対称的に固定的に設置され、
前記ドアロック装置は前記歯車チャンバの上側の内壁の中に連通するように設置されたドアロックチャンバを含み、前記ドアロックチャンバが前に開口しており、前記ドアロックチャンバの中にはドアロックがスライドできるように設置され、前記ドアロックの下端面の中には上ラックが固定的に設置され、前記上ラックと前記平歯車とが噛合しており、前記ドアロックの中には後ろに開口した三つのロックシリンダー溝が設置され、前記ロックシリンダー溝の中にはロックシリンダーがスライドできるように設置され、前記ロックシリンダーの中にはネジ山穴が左右に貫通して設置され、前記ドアロックチャンバの後側の内壁の中には三つのロック穴が連通して設置され、三つの前記ロック穴が同じ垂直面に位置していなく、三つの前記ロックシリンダーが其々に三つの前記ロック穴の中に伸びることができ、前記ドアロックチャンバの右側の内壁の中には前に開口した連通溝が連通して設置され、前記連通溝の中には三つの回転連結ブロックが回転できるように設置され、前記回転連結ブロックの円周面には十個の数字ブロックが環状に配置されるように固定的に連結され、各前記数字ブロックの外表面には数字が刻まれており、前記回転連結ブロックの左端にはネジボルトが固定的に連結され、前記ネジボルトの左端が前記ネジ山穴にネジ山によって連結され、
前記回転装置は前記ドアの框の上下両側の内壁の間に左右に対称的に且つ回転できるように連結された垂直軸を含み、前記垂直軸には回転ブロックが固定的に連結され、両側の前記回転ブロックの中には前後に貫通し且つ相対に開口した連結溝が設置され、前記ドア板が前記連結溝の間に連結され、前記回転ブロックのうち対称中心に近接した一端面の中には固定仕切板が固定的に設置され、左側の前記固定仕切板が前記ドア板の前端面に当接しており、右側の前記固定仕切板が前記ドア板の後端面に当接しており、前記回転ブロックの中には対称中心に向かって開口したバネチャンバが設置され、前記バネチャンバの中にはスライド仕切板がスライドできるように設置され、前記バネチャンバのうち対称中心から離れた一側の内壁の中には電磁石が固定的に設置され、両側の前記スライド仕切板と両側の前記電磁石との間には其々に圧縮バネが連結され、左側の前記スライド仕切板が前記ドア板の後端面に当接しており、右側の前記スライド仕切板が前記ドア板の前端面に当接していることを特徴とする片方向暗号ドアロック。
【請求項２】
前記電磁石が前記内導電ブロックと前記外導電ブロックとに電気的に連結され、前記内導電ブロックと前記外導電ブロックとによって前記電磁石の通電状態を制御できることを特徴とする請求項１に記載の片方向暗号ドアロック。
【手続補正２】
【補正対象書類名】明細書
【補正対象項目名】全文
【補正方法】変更
【補正の内容】
【発明の詳細な説明】
【技術分野】
【０００１】
本発明はロックの分野を取り上げて、具体的には片方向暗号ドアロックである。
【背景技術】
【０００２】
ドアは部屋と外部とを隔離させ、財産の安全及び個人プライバシーを保護でき、ところが現在のドアは部屋の中に又は部屋の外に開けるしかできなく、部屋の内部と外の状況を知らずに突然ドアを開けると、ほたの物に更に人にぶつかる恐れがあり、そのためドアの開ける方向を制御できる片方向暗号ドアロックを設計するのは実に必要があり、本装置は個人の需要によりノブの回転方向を決め、それによりドアの開ける方向を制御し、同時にほかの人にぶつかるのを回避でき、それに暗号ドアロックによってノブが伸び出すのを制御でき、一般的なドアロックより安全で、一般的な防盗ロックより早く便利である。
【先行技術文献】
【特許文献】
【０００３】
【特許文献１】中国特許出願公開第１０９４４１２３２号明細書
【発明の概要】
【発明が解決しようとする課題】
【０００４】
本発明が解決する技術問題は片方向暗号ドアロックを提供し、それは上記現在技術の問題を解決できる。
【課題を解決するための手段】
【０００５】
本発明の片方向暗号ドアロックは、ウォールを含み、前記ウォールの中にはドアの框が前後に貫通して設置され、前記ドアの框の中にはドア板が揺動可能に設置され、前記ドア板の左右両側には回転装置が設置され、前記ドア板の中にはノブ装置とドアロック装置とが設置され、前記ノブ装置は前記ドア板の中に前に開口するように設置されたノブ溝を含み、前記ノブ溝の中にはスライダがスライドできるように設置され、前記スライダの上端面の中には下ラックが固定的に設置され、前記ノブ溝の上側の内壁の中には歯車チャンバが連通するように設置され、前記歯車チャンバの左右内壁の間には平歯車が回転できるように連結され、前記平歯車の下端が前記下ラックに噛合しており、前記平歯車の上端が前記ドアロック装置に噛み合うように連結され、前記スライダの中には連結軸が回転できるように連結され、前記連結軸の前端には外ノブが固定的に連結され、前記ノブ溝の後側の内壁の中には空チャンバが設置され、前記連結軸の後端が前記空チャンバの中に伸びており且つ外回転輪と固定的に連結され、前記外回転輪の上端には外始動ブロックが固定的に連結され、前記空チャンバの前側の内壁には外固定輪が固定的に連結され、前記外固定輪の中には位置制限溝が前後に貫通して設置され、前記位置制限溝の左右の内壁には外導電ブロックが対称的に固定的に連結され、前記ドア板の中には後ろに開口した内位置制限溝が設置され、前記内位置制限溝の前側の内壁には内ノブが回転できるように連結され、前記内位置制限溝の中には前記内ノブに固定的に連結された内回転輪が回転できるように設置され、前記内回転輪の左端には内始動ブロックが固定的に連結され、前記内位置制限溝の左右両側の内壁の中には内導電ブロックが対称的に固定的に設置されている。
【０００６】
更なる技術方案、前記ドアロック装置は前記歯車チャンバの上側の内壁の中に連通するように設置されたドアロックチャンバを含み、前記ドアロックチャンバが前に開口しており、前記ドアロックチャンバの中にはドアロックがスライドできるように設置され、前記ドアロックの下端面の中には上ラックが固定的に設置され、前記上ラックと前記平歯車とが噛合しており、前記ドアロックの中には後ろに開口した三つのロックシリンダー溝が設置され、前記ロックシリンダー溝の中にはロックシリンダーがスライドできるように設置され、前記ロックシリンダーの中にはネジ山穴が左右に貫通して設置され、前記ドアロックチャンバの後側の内壁の中には三つのロック穴が連通して設置され、三つの前記ロック穴が同じ垂直面に位置していなく、三つの前記ロックシリンダーが其々に三つの前記ロック穴の中に伸びることができ、前記ドアロックチャンバの右側の内壁の中には前に開口した連通溝が連通して設置され、前記連通溝の中には三つの回転連結ブロックが回転できるように設置され、前記回転連結ブロックの円周面には十個の数字ブロックが環状に配置されるように固定的に連結され、各前記数字ブロックの外表面には数字が刻まれており、前記回転連結ブロックの左端にはネジボルトが固定的に連結され、前記ネジボルトの左端が前記ネジ山穴にネジ山によって連結されている。
【０００７】
更なる技術方案、前記回転装置は前記ドアの框の上下両側の内壁の間に左右に対称的に且つ回転できるように連結された垂直軸を含み、前記垂直軸には回転ブロックが固定的に連結され、両側の前記回転ブロックの中には前後に貫通し且つ相対に開口した連結溝が設置され、前記ドア板が前記連結溝の間に連結され、前記回転ブロックのうち対称中心に近接した一端面の中には固定仕切板が固定的に設置され、左側の前記固定仕切板が前記ドア板の前端面に当接しており、右側の前記固定仕切板が前記ドア板の後端面に当接しており、前記回転ブロックの中には対称中心に向かって開口したバネチャンバが設置され、前記バネチャンバの中にはスライド仕切板がスライドできるように設置され、前記バネチャンバのうち対称中心から離れた一側の内壁の中には電磁石が固定的に設置され、両側の前記スライド仕切板と両側の前記電磁石との間には其々に圧縮バネが連結され、左側の前記スライド仕切板が前記ドア板の後端面に当接しており、右側の前記スライド仕切板が前記ドア板の前端面に当接している。
【０００８】
更なる技術方案、前記電磁石が前記内導電ブロックと前記外導電ブロックとに電気的に連結され、前記内導電ブロックと前記外導電ブロックとによって前記電磁石の通電状態を制御できる。
【発明の効果】
【０００９】
有益な効果は：本発明は構造が簡単で、操作が便利で、個人の需要によってノブの回転方向を変えられ、それによりドアの開ける方向を制御でき、同時に他の人にぶつかるのを回避でき、それに暗号ドアロックによってノブが伸び出すのを制御し、普通のドアロックより安全で、普通の防盗ロックより早く便利である。
【図面の簡単な説明】
【００１０】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の片方向暗号ドアロックの内部構造模式図
【図２】図２は図１の「ＡーＡ」の方向の構造模式図
【図３】図３は図１の「ＢーＢ」の方向の構造模式図
【図４】図４は図２の「Ｃ」の拡大構造模式図
【図５】図５は図２の「Ｄ」の拡大構造模式図
【図６】図６は図４の「ＥーＥ」の方向の構造模式図
【図７】図７は図４の「ＦーＦ」の方向の構造模式図
【図８】図８は図７の「ＧーＧ」の方向の構造模式図
【発明を実施するための形態】
【００１２】
図１〜８を参考して、本発明の片方向暗号ドアロックは、ウォール１１を含み、前記ウォール１１の中にはドアの框１２が前後に貫通して設置され、前記ドアの框１２の中にはドア板１３が揺動可能に設置され、前記ドア板１３の左右両側には回転装置１０２が設置され、前記ドア板１３の中にはノブ装置１００とドアロック装置１０１とが設置され、前記ノブ装置１００は前記ドア板１３の中に前に開口するように設置されたノブ溝２２を含み、前記ノブ溝２２の中にはスライダ３３がスライドできるように設置され、前記スライダ３３の上端面の中には下ラック３４が固定的に設置され、前記ノブ溝２２の上側の内壁の中には歯車チャンバ４０が連通するように設置され、前記歯車チャンバ４０の左右内壁の間には平歯車４１が回転できるように連結され、前記平歯車４１の下端が前記下ラック３４に噛合しており、前記平歯車４１の上端が前記ドアロック装置１０１に噛み合うように連結され、前記スライダ３３の中には連結軸３２が回転できるように連結され、前記連結軸３２の前端には外ノブ２３が固定的に連結され、前記ノブ溝２２の後側の内壁の中には空チャンバ３７が設置され、前記連結軸３２の後端が前記空チャンバ３７の中に伸びており且つ外回転輪３８と固定的に連結され、前記外回転輪３８の上端には外始動ブロック３９が固定的に連結され、前記空チャンバ３７の前側の内壁には外固定輪３５が固定的に連結され、前記外固定輪３５の中には位置制限溝３６が前後に貫通して設置され、前記位置制限溝３６の左右の内壁には外導電ブロック４５が対称的に固定的に連結され、前記ドア板１３の中には後ろに開口した内位置制限溝４９が設置され、前記内位置制限溝４９の前側の内壁には内ノブ４６が回転できるように連結され、前記内位置制限溝４９の中には前記内ノブ４６に固定的に連結された内回転輪４８が回転できるように設置され、前記内回転輪４８の左端には内始動ブロック４７が固定的に連結され、前記内位置制限溝４９の左右両側の内壁の中には内導電ブロック５０が対称的に固定的に設置されている。
【００１３】
有益なように、前記ドアロック装置１０１は前記歯車チャンバ４０の上側の内壁の中に連通するように設置されたドアロックチャンバ４４を含み、前記ドアロックチャンバ４４が前に開口しており、前記ドアロックチャンバ４４の中にはドアロック２６がスライドできるように設置され、前記ドアロック２６の下端面の中には上ラック４２が固定的に設置され、前記上ラック４２と前記平歯車４１とが噛合しており、前記ドアロック２６の中には後ろに開口した三つのロックシリンダー溝２８が設置され、前記ロックシリンダー溝２８の中にはロックシリンダー３０がスライドできるように設置され、前記ロックシリンダー３０の中にはネジ山穴２９が左右に貫通して設置され、前記ドアロックチャンバ４４の後側の内壁の中には三つのロック穴４３が連通して設置され、三つの前記ロック穴４３が同じ垂直面に位置していなく、三つの前記ロックシリンダー３０が其々に三つの前記ロック穴４３の中に伸びることができ、前記ドアロックチャンバ４４の右側の内壁の中には前に開口した連通溝２４が連通して設置され、前記連通溝２４の中には三つの回転連結ブロック３１が回転できるように設置され、前記回転連結ブロック３１の円周面には十個の数字ブロック２５が環状に配置されるように固定的に連結され、各前記数字ブロック２５の外表面には数字が刻まれており、前記回転連結ブロック３１の左端にはネジボルト２７が固定的に連結され、前記ネジボルト２７の左端が前記ネジ山穴２９にネジ山によって連結されている。
【００１４】
有益なように、前記回転装置１０２は前記ドアの框１２の上下両側の内壁の間に左右に対称的に且つ回転できるように連結された垂直軸１４を含み、前記垂直軸１４には回転ブロック１５が固定的に連結され、両側の前記回転ブロック１５の中には前後に貫通し且つ相対に開口した連結溝１６が設置され、前記ドア板１３が前記連結溝１６の間に連結され、前記回転ブロック１５のうち対称中心に近接した一端面の中には固定仕切板１７が固定的に設置され、左側の前記固定仕切板１７が前記ドア板１３の前端面に当接しており、右側の前記固定仕切板１７が前記ドア板１３の後端面に当接しており、前記回転ブロック１５の中には対称中心に向かって開口したバネチャンバ２０が設置され、前記バネチャンバ２０の中にはスライド仕切板２１がスライドできるように設置され、前記バネチャンバ２０のうち対称中心から離れた一側の内壁の中には電磁石１８が固定的に設置され、両側の前記スライド仕切板２１と両側の前記電磁石１８との間には其々に圧縮バネ１９が連結され、左側の前記スライド仕切板２１が前記ドア板１３の後端面に当接しており、右側の前記スライド仕切板２１が前記ドア板１３の前端面に当接している。
【００１５】
有益なように、前記電磁石１８が前記内導電ブロック５０と前記外導電ブロック４５とに電気的に連結され、前記内導電ブロック５０と前記外導電ブロック４５とによって前記電磁石１８の通電状態を制御できる。
【００１６】
使用する時、人が部屋の外側にいる時、回転連結ブロック３１を回転させ、それにより数字ブロック２５を回転連動させ且つ数字ブロック２５の数字を順次に前向きに示し、同時に回転連結ブロック３１がネジボルト２７を回転連動させ、それによりロックシリンダー３０をスライド連動させ、ロックシリンダー３０が相応のロック穴４３に正対するようになると、数字ブロック２５における前向きに示された数字はロックシリンダー溝２８の中におけるロックシリンダー３０の位置に対応し、三つのロックシリンダー３０が全て三つのロック穴４３に正対する時、ドアロック２６を押し、それによりロックシリンダー３０をスライド連動させてロック穴４３の中に入らせ、この時ドアロックを引っ掛け、同時に上ラック４２が平歯車４１を回転連動させ、それにより下ラック３４をスライド連動させ、それによりスライダ３３をスライド連動させ、それにより連結軸３２によって外ノブ２３を連動させてノブ溝２２から滑り出させ、この時外回転輪３９が位置制限溝３６の中に滑り込み、この時外ノブ２３を握り、個人習慣によって時計回り又は反時計回りに外ノブを回転させ、それにより外始動ブロック３９と外導電ブロック４５とが接触するまで外回転輪３８と外始動ブロック３９とを回転連動させ、この時外導電ブロック４５が右側の電磁石１８を通電させ、この時右側の電磁石１８が右側のスライド仕切板２１を吸引してドア板１３から離脱させ、この時外ノブ２３を引き、ドア板１３が左側の垂直軸１４の周りを回って片方向に部屋の外に回転し、ドアが開いた後外ノブ２３をノブ溝２２の中に押し戻し、それによりドアロック２６を外にスライド連動させ、右側の電磁石１８の電気が切れ、ドア板を反方向に回転させ、それにより右側のスライド仕切板２１を押してスライドさせ、また圧縮バネ１９の弾力によって右側のスライド仕切板２１を改めてドア板１３に当接させ、人が部屋の中にいる時、内ノブ２６を握って回転させ、それにより内回転輪４８と内始動ブロック４７とを回転連動させ、内始動ブロック４７と内導電ブロック５０とが接触した時左側の電磁石１８が通電し、この時ドア板１３が右側の垂直軸１４の周りを回って片方向に部屋の中に回転し、人にぶつかるのを回避できる。
【００１７】
有益な効果は：本発明は構造が簡単で、操作が便利で、個人の需要によってノブの回転方向を変えられ、それによりドアの開ける方向を制御でき、同時に他の人にぶつかるのを回避でき、それに暗号ドアロックによってノブが伸び出すのを制御し、普通のドアロックより安全で、普通の防盗ロックより早く便利である。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。